(57)【要約】【課題】多くの衣類を掛止しても水平杆が撓みにくい収納装置を提供する。【解決手段】クローゼット内などで衣類を収納するための収納装置であって、ハンガーなどを係止するための水平杆とこの水平杆を支持する支持杆からなり、この支持杆は伸縮自在にその全長が調節可能となされ、支持杆の上端には、水平杆を挟持する挟持部が設けられ、支持杆の下端が床面に当接されるようになされたことを特徴とするもので、水平杆が支持杆に支持されるので、水平杆に負荷された物品の重量が支持杆により支持され、水平杆の耐荷重が向上する。又、支持杆間に亘ってラックが設けられたもので、このラックは支持杆に固着された腕間に棚面が設けられるとともに、この腕と支持杆の取付位置が奥行き方向に調整可能であることを特徴とするもので、棚面と奥の壁面との隙間を小さくすることができる。【選択図】        図１
2005349071.tif 000002
【特許請求の範囲】
【請求項１】
クローゼット内などで衣類を収納するための収納装置であって、ハンガーなどを係止するための水平杆とこの水平杆を支持する支持杆からなり、この支持杆は伸縮自在にその全長が調節可能となされ、支持杆の上端には、水平杆を挟持する挟持部が設けられ、支持杆の下端が床面に当接されるようになされたことを特徴とする収納装置。
【請求項２】
クローゼット内などで衣類を収納するための収納装置であって、ハンガーなどを係止するための水平杆とこの水平杆を支持する複数の支持杆からなり、この支持杆は伸縮自在にその全長が調節可能となされ、支持杆の上端には、水平杆を挟持する挟持部が設けられ、支持杆の下端が床面に当接されるようになされ、支持杆間に亘ってラックが設けられたもので、このラックは支持杆に固着された腕間に棚面が設けられるとともに、この腕と支持杆の取付位置が奥行き方向に調整可能であることを特徴とする収納装置。
【請求項３】
クローゼット内などで衣類を収納するための収納装置であって、ハンガーなどを係止するための水平杆とこの水平杆を支持する支持杆からなり、この支持杆は伸縮自在にその全長が調節可能となされ、支持杆の上端には、水平杆を挟持する挟持部が設けられ、支持杆の下端が床面に当接されるようになされ、この支持杆に網体が設けられたもので、この網体は上下に枠体が設けられ、この枠体の一部が正面側に突出されてトレイとなされたことを特徴とする収納装置。
【発明の詳細な説明】
【技術分野】
【０００１】
本発明は、クローゼット内などで衣類などを収納するための収納装置に関する。
【背景技術】
【０００２】
【特許文献１】特開平５−１６１５３３号公報  従来、特開平５−１６１５３３号公報には、ハンガーを掛けるために、水平に架設される上位のハンガーバーと、この上位のハンガーバーの下方において、ハンガーを掛けるために、上位のハンガーバーから垂下する２本の吊りワイヤによって両端部を吊り止められた下位のハンガーバーとを具備し、前記吊りワイヤの上端は、前記上位のハンガーバーに対して軸線方向に係止位置を変更可能に構成され、下端は、前記下位のハンガーバーの両端部に係止され、前記下位のハンガーバーは、軸線方向に伸縮自在に構成されていることを特徴とする衣類等のハンガー装置が提案されている。
【発明の開示】
【発明が解決しようとする課題】
【０００３】
特開平５−１６１５３３号公報に開示されているハンガー装置によれば、上位のハンガーバーに掛けられた衣類の下の空間を、その幅に容易に対応して無駄なく有効に利用することができるものの、下位のハンガーバーに掛けられた衣類の荷重も上位のハンガーバーに掛かることになり、上位のハンガーバーの負担が大きく撓んだりしやすいという問題があった。
【０００４】
そこで本発明者は従来の欠点に鑑み鋭意研究の結果、多くの衣類を掛止しても水平杆が撓みにくい収納装置を提供する。
【課題を解決するための手段】
【０００５】
本発明請求項１記載の収納装置は、クローゼット内などで衣類を収納するための収納装置であって、ハンガーなどを係止するための水平杆とこの水平杆を支持する支持杆からなり、この支持杆は伸縮自在にその全長が調節可能となされ、支持杆の上端には、水平杆を挟持する挟持部が設けられ、支持杆の下端が床面に当接されるようになされたことを特徴とするもので、水平杆が支持杆に支持されるので、水平杆に負荷された物品の重量が支持杆により支持され、水平杆の耐荷重が向上する。
【０００６】
本発明請求項２記載の収納装置は、クローゼット内などで衣類を収納するための収納装置であって、ハンガーなどを係止するための水平杆とこの水平杆を支持する複数の支持杆からなり、この支持杆は伸縮自在にその全長が調節可能となされ、支持杆の上端には、水平杆を挟持する挟持部が設けられ、支持杆の下端が床面に当接されるようになされ、支持杆間に亘ってラックが設けられたもので、このラックは支持杆に固着された腕間に棚面が設けられるとともに、この腕と支持杆の取付位置が奥行き方向に調整可能であることを特徴とするもので、棚面と奥の壁面との隙間を小さくすることができる。
【０００７】
本発明請求項３記載の収納装置は、クローゼット内などで衣類を収納するための収納装置であって、ハンガーなどを係止するための水平杆とこの水平杆を支持する支持杆からなり、この支持杆は伸縮自在にその全長が調節可能となされ、支持杆の上端には、水平杆を挟持する挟持部が設けられ、支持杆の下端が床面に当接されるようになされ、この支持杆に網体が設けられたもので、この網体は上下に枠体が設けられ、この枠体の一部が正面側に突出されてトレイとなされたことを特徴とするものである。
【発明の効果】
【０００８】
上述の如く、本発明請求項１記載の収納装置は、クローゼット内などで衣類を収納するための収納装置であって、ハンガーなどを係止するための水平杆とこの水平杆を支持する支持杆からなり、この支持杆は伸縮自在にその全長が調節可能となされ、支持杆の上端には、水平杆を挟持する挟持部が設けられ、支持杆の下端が床面に当接されるようになされたことを特徴とするもので、水平杆が支持杆に支持されるので、水平杆に負荷された物品の重量が支持杆により支持され、水平杆の耐荷重が向上する。
【０００９】
又、本発明請求項２記載の収納装置は、クローゼット内などで衣類を収納するための収納装置であって、ハンガーなどを係止するための水平杆とこの水平杆を支持する複数の支持杆からなり、この支持杆は伸縮自在にその全長が調節可能となされ、支持杆の上端には、水平杆を挟持する挟持部が設けられ、支持杆の下端が床面に当接されるようになされ、支持杆間に亘ってラックが設けられたもので、このラックは支持杆に固着された腕間に棚面が設けられるとともに、この腕と支持杆の取付位置が奥行き方向に調整可能であることを特徴とするもので、棚面と奥の壁面との隙間を小さくすることができる。
【発明を実施するための最良の形態】
【００１０】
以下、図面を参照しながら本発明に付いて説明する。
図１は本発明収納装置の実施形態の一例を示す斜視図である。
図面において、１は水平杆であり、クローゼット内にハンガーを掛けるためにクローゼット内に設けられているものである。２は支持杆であり、水平杆１を挟持する挟持部２１が先端に設けられ、他端に支持板２４が設けられ、床面から支持杆２を支持している。２本の支持杆２に亘ってラック３が設けられ、複数のトレイ４３が適宜位置に設けられている。又、他の支持杆２には、網体４が設けられこの網体４にフックを介して種々の物品が掛止される。
【００１１】
図２は本発明収納装置における支持杆の実施形態の一例を示す斜視図である。
図面において、支持杆２は大径の管体２２とこの大径の管体２２の内径より小径の杆体２３からなり、小径の杆体２３が大径の管体２２内に挿入され伸縮自在となされている。支持杆２の上端にはバネの弾発力で水平杆１を挟持するようになされた挟持部２１が設けられている。支持杆２の下端には円形のフランジ付きキャップが設けられて支持板２４となされている。支持杆２は水平杆１に上端が固着され、長さが伸縮して調整され、支持板２４が床面に当接される。支持杆２が水平杆１の適宜箇所に取り付けられると水平杆１の耐荷重が向上する。
【００１２】
水平杆１は前記したようにクローゼット内に既設のものが用いられるが、これ以外に相対する壁面をバネの弾発力で突っ張って固着される突っ張り式のポールが用いられてもよい。突っ張り式のポールに用いられれば、突っ張り力による壁面との摩擦だけでなく支持杆２により支持され耐荷重が大きく向上する。
【００１３】
図３〜図６は本発明収納装置におけるラックの実施形態を示す斜視図である。
図面において、ラック３は一対の腕３１に複数の小径パイプが掛け渡されて、棚面３２を形成している。ラック３の腕３１には複数の雌ネジが穿設され、棚位置調整孔３３となされている。この棚位置調整孔３３には棚支持具３４を介して取り付けねじが螺入される。棚支持具３４は支持杆２の適宜位置で支持杆２を把持し固着されている。ラック３の腕３１は、棚支持具３４に対して適宜位置で取り付けられ、奥行き方向に棚面３２の位置が調整できるようになされている。この例ではラック３は一対の腕３１間に複数のパイプが掛け渡されたパイプラックの例を示したが、これに限るものではなく、腕３１間に板が掛け渡された板状の棚でもよいし、網状の面材でもよいし、これらを組み合わせたものでもよい。
【００１４】
図７は本発明収納装置における網体４の実施形態の一例を示す斜視図である。
図面において、網体４は上下に枠体４２が設けられこの枠体４２が支持杆２に取り付けられている。枠体４２は網４１を上下から挟持し、網体４となされている。枠体４２の下部は正面側に突出され、小物品を保持するトレイ４３となされている。
【００１５】
図８は本発明収納装置における補助桟の実施形態の一例を示す斜視図である。
図面において、隣り合う支持杆２に亘って補助桟５が設けられ、この補助桟５にも衣類などがハンガーで掛けられるようになされている。補助桟５は支持杆２の適宜位置に固定されるようになされている。
【００１６】
図９は本発明収納装置におけるネクタイ掛けの実施形態の一例を示す斜視図である。
図面に於いて、ネクタイ掛け６は支持杆２の適宜位置に取り付けられている。ネクタイ掛け６は支持杆２に設けられた取付部から支持腕が水平に延設され、この支持腕の先端から支持軸が垂下され、この支持軸の下端から放射状にネクタイ掛け部が多数設けられている。
【図面の簡単な説明】
【００１７】
【図１】本発明収納装置の実施形態の一例を示す斜視図である。
【図２】本発明収納装置における支持杆の実施形態の一例を示す斜視図である。
【図３】本発明収納装置におけるラックの実施形態の一例を示す斜視図である。
【図４】本発明収納装置におけるラックの実施形態の一例を示す斜視図である。
【図５】本発明収納装置におけるラックの実施形態の一例を示す斜視図である。
【図６】本発明収納装置におけるラックの実施形態の一例を示す斜視図である。
【図７】本発明収納装置における網体の実施形態の一例を示す斜視図である。
【図８】本発明収納装置における補助桟の実施形態の一例を示す斜視図である。
【図９】本発明収納装置におけるネクタイ掛けの実施形態の一例を示す斜視図である。
【符号の説明】
【００１８】
１      水平杆
２      支持杆
２１    挟持部
２２    大径の管体
２３    小径の杆体
２４    支持板
３      ラック
３１    腕
３２    棚面
３３    棚位置調整孔
３４    棚支持具
４      網体
４１    網
４２    枠体
４３    トレイ
５      補助桟
６      ネクタイ掛け
【図１】
2005349071.tif 000003
【図２】
2005349071.tif 000004
【図３】
2005349071.tif 000005
【図４】
2005349071.tif 000006
【図５】
2005349071.tif 000007
【図６】
2005349071.tif 000008
【図７】
2005349071.tif 000009
【図８】
2005349071.tif 000010
【図９】
2005349071.tif 000011